(57)【要約】      （修正有）【課題】爪切り時に、切断された爪片の飛散防止、ならびに、爪切り具本体からの、爪片の排除を容易にする。【解決手段】長方形の板状弾性刃部材（１２）の中心部（１２ｃ）をＵ字状に成形し、一方の板状弾性刃部材から耳部（１４ａ、１４ｂ）を突出させ、もう一方の板状弾性刃部材表面において、操作レバー（１１）を軸部材（１５）により連結させている。操作レバーは、連結部付近において二分割（１１ａ、１１ｂ）されており軸部材（１７）により連結されなおかつ後部レバー内突出部において弾性部材（１８）が装着されている。切断された爪片は外部に飛散すること無く貯留空間（１６）に収集され作業終了時の爪片の排除を容易にする。【選択図】図１
0003124962.tif 000002
【実用新案登録請求の範囲】
【請求項１】
長方形の板状弾性刃部材の中心部をＵ字状に成形し、両先端に互いに向き合った爪切り刃を有した該板状弾性刃部材の一方の爪切り刃付近、両側縁に突設された耳部が、もう一方の板状弾性刃部材の側縁の外側を通り、該板状弾性刃部材の表面を越えて突出し、突出した耳部先端間において軸部材により操作レバーが連結されている。該操作レバーは、前記耳部付近において二分割されており、前部レバーと、後部レバーとに分かれている。
前部レバーは前述の通り耳部に連結されており、後部レバーは、分割部付近の片側表面に突起を有し、前記前部レバーと軸部材により連結されている、前記軸部材は前部レバーと後部レバーを貫通し、なおかつ、該後部レバー内空間に突出している、そして、突出した軸部材には、弾性部材が装着されている。したがって本爪切り具の操作レバーは、後部レバーを左右に回動させ両耳部を軸とし突起を支点にした噛切動作ができるのを特徴とした爪切り具。
【請求項２】
上記の爪切り具によって切断された爪片の、飛散防止及び収集及び排除を容易にするため、板状弾性刃部材をＵ字状に成形し、操作レバーを両軸支点方式にすることにより、邪魔なセンターピンを無くし貯留空間を広げたことを特徴とする爪切り具。
尚、前記の条件を満たすのを補助するため、専用のカバーケースを装着する。（装着するカバーケースは、大きさや形状等が多数考えられる為図に示すことができません。）
【考案の詳細な説明】
【考案の詳細な説明】
【産業上の利用分野】
【０００１】本考案は爪切り具に関する。
【背景技術】
【０００２】従来の爪切り具は、図３に示すように、前端に互いに向き合った爪切り刃（２ａ、３ａ）を有し、後端を互いに結合されかつ少なくとも一方が弾性を有する１対の板状刃部材（２、３）と、前端付近に突起（１ａ）を有し爪切り刃付近に形成された孔（２Ｄ、３Ｄ）に植設されたピン（４）の突出した先端部に、軸部材（５）によって、前記爪切り刃（２ａ、３ａ）を動作させる操作レバー（１）が枢動自在に連結されている。
使用時には、突起部（１ａ）を上にして収納されている操作レバーを起ち上げ１８０度反転させ、板状刃部材の外側表面に突起部を当接させた状態で、操作レバー（１）の後端を押し下げることにより板状刃部材前端の爪切り刃を噛み合わせることができる。
【考案が解決しようとする間題】
【０００３】  上述した従来の爪切り具においては、板状刃部材（２、３）の前端に爪切り刃（２ａ、３ａ）が有り、直後に操作レバー（１）と連結したピン（４）が存在する。したがって、爪の先端は爪切り刃（２ａ、３ａ）によって、噛み切られた瞬間に爪切り刃（２ａ、３ａ）の後方に飛び、ピン（４）に衝突する。衝突した爪片は不定形であり、かつピン（４）は円柱形であるため、このピン（４）に衝突した爪片は不規則な方向に跳ね返って飛び散る、この爪片を爪切り具本体の貯留空間に収納する為に、ほとんどの爪切り具がカバーを装着しているが、前述したように爪切り刃（２ａ、３ａ）の直後に、操作レバー（１）と連結するピン（４）が存在するかぎり問題が解決されているとは思えない。
【問題を解決するための手段と作用】
【０００４】本考案に係る爪切り具は、長方形の板状弾性刃部材の中心部（１２ｃ）をＵ字状に成形し、両先端に互いに向き合った爪切り刃（１２ａ、１２ｂ）を有し、一方の爪切り刃付近両側縁に突設された耳部（１４ａ、１４ｂ）が、もう一方の板状弾性刃部材の側縁の外側を通り、該板状弾性刃部材の表面を越えて突出し、軸部材（１５）により、操作レバー（１１）が連結されている。
したがって、Ｕ字状に成形された板状弾性刃部材には、爪切り刃（１２ａ、１２ｂ）から後方のＵ字部（１２ｃ）の間には、切断された爪片の貯留空間（１６）のみが有る。
【０００５】したがって、爪切り刃（１２ａ、１２ｂ）により切断された爪片は、爪切り具本体から外に（飛散防止カバーを着用していることを想定する）飛散することなく貯留空間（１６）に収納される。
尚かつ、収納された爪片の排除も容易に行なうことができる。
【実施例】
【０００６】従来の爪切り具における使用時の操作レバーは、一度起ちあげて前方に倒し左右どちらかに１８０度転回させて使用することができる状態になるが、本考案における操作レバーは、分割（１１ａ、１１ｂ）したことにより操作レバー（１１ａ）の端をつまみ１８０度（左右どちらでも）ひねるだけで使用状態にできる。【０００７】爪切り刃（１２ａ、１２ｂ）により切断され、空間（１６）に貯留した爪片を排除するのに、従来の爪切り具においては、爪切り刃を下に向け、何度か振らなければピン（４）が障害となり、爪片をスムーズに排除できませんでした。
本考案の爪切り具には、ピンが存在しないため切断された爪片は、外部に飛散することなく空間（１６）に入り、爪切り刃（１２ａ、１２ｂ）を下に向けるだけで排除される。使用後は操作レバー後部をつまみ、半回転させる。
【図面の簡単な説明】
【図１】本考案の一実施例による爪切り具の使用時の状態を示す斜視図。
【図２】本考案の操作レバーの断面図。
【図３】従来の爪切り具の使用時の斜視図。
【符号の説明】
１０  爪切り具                    １５  軸部材
１１ａ  １１ｂ  操作レバー        １６  空間
１１−１  突起                    １７  軸部材
１２  板状弾性刃部材              １８  弾性部材
１２ａ  １２ｂ  爪切り刃
１４ａ  １４ｂ  耳部
【図１】
0003124962.tif 000003
【図２】
0003124962.tif 000004
【図３】
0003124962.tif 000005
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
本考案の爪切り具において、
（１）長方形の板状弾性刃部材の中心部をＵ字状に成形し両先端に互いに向き合った爪切り刃を有した該板状弾性刃部材の一方の爪切り刃付近両側縁に突設された耳部が、もう一方の板状弾性刃部材の側縁の外側を通り該板状弾性刃部材の表面を越えて突出している、突出した耳部先端間には軸部材により操作レバーが連結されている、
（２）前記操作レバーは、耳部付近において二分割され前部レバーと後部レバーに分かれており前部レバーは前述の通り耳部に連結され、後部レバーにおいては分割部付近の片側表面に突起を有し前記前部レバーと軸部材により連結されている、軸部材には後部レバー内の空間において弾性部材が装着されており後部レバーを左右に回動させ、両耳部を軸として突起を支点にした噛切動作ができるのを特徴としている。
【請求項２】
請求項１の爪切り具によって切断された爪片の飛散防止及び収集排除を容易にするために、板状弾性刃部材をＵ字状に一体成形し、操作レバーを両軸支点方式にすることにより、邪魔なセンターピンを無くし貯留空間を広げ利便性を高めた、以上の構成からなる爪切り具。